(57)【特許請求の範囲】
【請求項１】
対数露出差が等しいことが、明度差が等しいことに対応する、画像を生成する方法であって、
画像信号を受信する工程と、
階調スケール曲線を形成する工程と、
前記画像信号を前記階調スケール曲線によって出力信号に変換する工程とを備え、
前記階調スケール曲線を形成する工程が、
ａ）  明度対対数露出の関係を選択する工程と；
ｂ）  次の式に基づく輝度対明度曲線を作る工程であって、
【数１】
0003955111.tif 000021
であり、ここで：
Ｂは知覚された明度であり；
ｎは０．５＜ｎ＜１．０の範囲にあり；
【数２】
0003955111.tif 000022
であり；
Ｌはｃｄ／ｍ2で示された輝度であり；
【外１】
0003955111.tif 000023
はＸ線フィルムの最小濃度領域の輝度である工程と；
ｃ）  濃度対輝度曲線を用い、それによって、濃度が対数露出の関数である階調スケール曲線を形成する工程であって、前記関数は、対象Ｘ線画像の、等しい対数露出差が、表示された画像内の等しい明度差をもたらすような関数である工程とを備える方法。
【請求項２】
ｎが０．７に等しい請求項１記載の方法。
【請求項３】
前記明度対対数露出の関係が直線である請求項１又は２に記載の方法。
【請求項４】
滑らかな下端及び滑らかな肩を前記階調スケール曲線について、該曲線の一次導関数が連続であるように形成する工程を更に含む請求項１又は２に記載の方法。
【請求項５】
視覚的に最適化された階調スケール曲線の群が露出、コントラスト、下端濃度、及び肩濃度の４つのパラメータによって規定される請求項１又は２に記載の方法。
【発明の詳細な説明】
【０００１】
【発明の属する技術分野】
本発明は診断ラジオグラフィーに特に適切な視覚的に最適化された階調スケール曲線を形成する方法に関する。それはまたそのような曲線を提供するフィルム又はフィルムスクリーンの組み合わせにも関する。
【０００２】
【従来の技術】
診断ラジオグラフィーに対して用いられる階調スケールはハロゲン化銀フィルムの感光度計の特性曲線に基づいてきた。これらの曲線は種々のコントラストを提供し、異なる検査の型に対して加速する。しかしながら曲線の形状はラジオグラフィー画像の視覚的な視診に対しては最適化されてこなかった。従って臨床的に重要な詳細はしばしばＸ線画像の暗い領域内で不明瞭であった。
【０００３】
【発明が解決しようとする課題】
本発明の目的は視覚的に最適化された階調スケール曲線を提供することにある。
本発明の他の目的は詳細が等しく視覚的であり、それらの周囲の領域の濃度と独立である階調スケールを作る方法を提供することにある。
【０００４】
本発明の他の目的は視覚的に最適化された階調スケール曲線のコントラスト、下端、及び肩を制御する方法を提供することにある。
【０００５】
【課題を解決するための手段】
これらの目的は
ａ）  明度対対数露出の関係を選択し；
ｂ）  次の式に実質的に基づく輝度対明度曲線を作り、
【０００６】
【数５】
0003955111.tif 000002
【０００７】
ここで：
Ｂは知覚された明度；
ｎは好ましくは０．７，０．５＜ｎ＜１．０の範囲；
【０００８】
【数６】
0003955111.tif 000003
【０００９】
Ｌはｃｄ／ｍ2 で示された輝度；
【００１０】
【外３】
0003955111.tif 000004
【００１１】
はＸ線フィルムの最小濃度領域の輝度；
ｃ）  濃度対輝度を用い、それによりその中で濃度が対象のＸ線画像の等しい露出差が実質的に表示された画像内の等しい明度差を形成するような対数露出の関数である階調スケール曲線を形成する；
各段階からなる対象のＸ線画像内の等しい対数露出差が実質的に表示画像内の等しい明度差を形成し、腫瘍のような問題の対象が全ての濃度でよりよく識別可能な階調スケール曲線形成方法により達成される。
【００１２】
物理的な特徴は全体的なグレースケールを介して等しく可視的であることを確実にするために等しい対数露出差は表示上の等しい明度差に写像されるように意図されたラジオグラフィー応用に対する階調スケール曲線を作ることが必要である。Ｘ線画像知覚の精神物理学的な研究を通して他のモデルより良い視覚的明度差を予測する多くの明度モデルを識別してきた。これらの明度モデルは物理的な特徴の等しい知覚がＸ線画像が放射線科医により観察されるときに達成されるようにＸ線信号の対数露出の関数としてフィルム上の要求された濃度（又は表示の明度）を計算することを可能にする。本発明はまたそれが放射線医学での種々の検査の型に対する異なる要求に適合されるように階調スケール曲線の速度（ｓｐｅｅｄ）、コントラスト、下端、及び肩をまた選択する。視覚的に最適化された階調スケール曲線の全体の族は曲線が各画像に対して専用化し、形成されるように数学的な関数により完全に記述される。この柔軟性はデジタルラジオグラフィーで重要である。何故ならばそれはコンピュータが各画像を最適な診断品質でレンダリングすることを可能にするからである。
【００１３】
【発明の実施の形態】
Ｘ線の吸収及び散乱は我々の目に見えない対象の内部構造の影の画像を形成する。不可視の影画像の可視のものへの変換は不可視の物理的な信号（Ｘ線フルエンス（ｆｌｕｅｎｃｅ））から可視画像（表示輝度）への数学的な写像を必要とする。写像はラジオグラフィック階調スケールと呼ばれる。変換により階調スケール曲線は対数露出ｌｏｇＥの関数としてフィルム濃度Ｄを示す。非常に最近まで写真フィルムは主要な感応（蛍光スクリーンから直接又は間接）及び表示媒体であった。斯くして結合されたスクリーン／フィルムシステムの特性曲線は診断ラジオグラフィーの階調スケール写像を決定する。これらの曲線は異なる検査の型に対して種々のコントラスト及び速度を提供する。しかしながら曲線の形状はラジオグラフィーの画像の視覚的な視診に対して最適化されていなかった。従って臨床的に重要な詳細はしばしばＸ線画像の暗い領域に妨害される。
【００１４】
診断ラジオグラフィーに対する良い階調スケールは周囲の領域の濃度と独立な等しい物理的なコントラストを有する特徴に対する等しく知覚されるコントラストを形成するべきである。それをより定量的な方法にするために本発明はスクリーン／フィルムの組み合わせ又は記憶蛍光物質のようなＸ線感応媒体により検出された等しい対数露出差に対する等しい明度差を形成するようにラジオグラフィック階調スケール曲線を最適化する。これらの媒体の対数露出は診断ラジオグラフィーでの種々の体の部分を通してＸ線透過性を反映する。
【００１５】
必要なことはラジオグラフィック画像観察条件下での物理的に測定された輝度とそれの知覚された明度との間の関係を記述することである。Ｘ線フィルムの輝度信号の変調はＸ線フィルム濃度の変化から由来する。所与の明度モデルではどのくらいの濃度変化が所定の明度変化を形成するために必要とされるかを計算可能である。その知識からフィルムが観察箱の前に位置するときに等しい対数露出差が等しい明度差として再現されるような方法でフィルム濃度に対する対数露出を写像する階調スケール曲線を設計可能である。本発明はそれはその光感度計の特性曲線として所望の階調スケールを有する特定のスクリーン／フィルムシステムを開発するのに用いられうる視覚的に最適化された階調スケール曲線のような設計手段を開示する。
【００１６】
代替的にＸ線画像が記憶蛍光物質上で露出され、光電子装置により読み出され、デジタル信号に変換されるデジタルラジオグラフィーシステム内での階調スケールを用いうる。デジタル画像信号は較正表又はアナログ対数増幅器を介して記憶蛍光物質上で対数露出を表す数に変換される。所望の階調スケールはそれをデジタルプリンタによりフィルム上に書き込まれうる適切な濃度値に写像するためにデジタル画像に印加される。階調スケール曲線は画像がＣＲＴ上に表示されるときに表示された画像は等しい対数露出差に対する等しい明度差を形成するようにデジタル画像をビデオ信号に写像するのにまた用いられ得る。
【００１７】
視覚的な精神物理的実験を通して典型的なＸ線画像観察条件下、即ち暗い又は薄暗い周囲で、１００から４０００ｃｄ／ｍ2 の平均輝度レベルで人間の明度知覚を非常によく記述する３つの明度モデルが識別された。これらの明度モデルは以下の通りである；
１．  ミハエリス−メンテン（Ｍｉｃｈａｅｌｉｓ−Ｍｅｎｔｅｎ）関数
【００１８】
【数７】
0003955111.tif 000005
【００１９】
ここで：
Ｂは知覚された明度；
Ｌはｃｄ／ｍ2 で示された画像の明度；
ｎは好ましくは０．７，０．５＜ｎ＜１．０の範囲；
Ｌo は表示された画像のｃｄ／ｍ2 で示された平均明度レベル。
これは以下のように計算される：
【００２０】
【数８】
0003955111.tif 000006
【００２１】
ここで
【００２２】
【外４】
0003955111.tif 000007
【００２３】
は基準の白の輝度（Ｘ線画像の最小濃度領域（ｃｄ／ｍ2 で示された））である；
２．  パワー関数は
【００２４】
【数９】
0003955111.tif 000008
【００２５】
ここで：
Ｂは知覚された明度；
ρは０．２５；
ｃは明度差を計算する上で相殺された定数。
パラメータρは非常に応用しやすい明度スケールを有し、０．２から０．３の範囲で変化する；
３．  バートルソン−ブレネマン（Ｂａｒｔｌｅｓｏｎ−Ｂｒｅｎｅｍａｎ）のモデルは
【００２６】
【数１０】
0003955111.tif 000009
【００２７】
ここで：
【００２８】
【数１１】
0003955111.tif 000010
【００２９】
【外５】
0003955111.tif 000011
【００３０】
＝  ｃｄ／ｍ2 で示された輝度；
ｆ  ＝  明るい周辺に対して１．０、暗い周辺に対して０．１；
Ｌ  ＝  ｃｄ／ｍ2 で示された場面の輝度；
Ｂ  ＝  任意の大きさの対象ユニットでの明度。
明度モデルの好ましい実施例は式（１）に記載されるようなミハイルメンテン関数である。
【００３１】
従来技術によれば階調スケール曲線は対数露出ｌｏｇＥの間数としてフィルム濃度Ｄを示す曲線である。観察されたＸ線画像に対して画像領域の輝度Ｌは以下の式のようにフィルム濃度に関係する：
Ｌ  ＝  Ｓｘ１０-D          （５）
ここでＳは観察箱輝度（約２２００−３２００ｃｄ／ｍ2 ）である。
等しい対数露出差は等しい明度差として再現される場合にはこれらの関係は以下のように表される；
Ｂ  ＝  ａ  ｌｏｇＥ  ＋  ｂ          （６）
ここでＥはＸ線露出であり、パラメータａは階調スケールのコントラスト（又はガンマ）を制御し、パラメータｂはフィルムの露出又は速度を制御する。明度モデル（式（１）のような）と式（５）及び（６）から与えられた定数ａ及び速度ｂに対して理想的な階調スケール曲線を構成しうる。
【００３２】
図１にそのような視覚的に最適化された階調スケール曲線の例を示す。示されたようにそのようにして得られた階調スケール曲線は最小及び最大濃度付近に非常に鋭いカットオフを有する。これは２つの問題を提起する：（１）鋭い打ち切りのためのハイライト又は影での詳細の消失；（２）露出誤差に対する感度。下端及び肩で穏やかに丸められた端はより有用な画像を形成するのに必要とされる。そのように丸められた端は以下のグリーン−サウンダー（Ｇｒｅｅｎ−Ｓａｕｎｄｅｒｓ）の式により構成されうる。
【００３３】
【数１２】
0003955111.tif 000012
【００３４】
ここで：
Ｄｍｉｎ，Ｄｍａｘはフィルムの最小及び最大濃度であり；
Ｅｏはグリーン−サウンダーの式（７）の半値地点に対応する露出値である。
階調スケール曲線に対して平滑な下端と肩を形成するために上記の関数が用いられる。図２は平滑な下端と平滑な肩を有するそのような階調スケールの例を示す。平滑な階調スケール曲線を形成するために視覚的階調スケール曲線と式７の曲線との間の接続は連続であり、下端と肩において一階の導関数を含まなければならない。これは以下の計算により達成される。
【００３５】
Ｄ  ＝  Ｖ（ｌｏｇＥ）は式（１）、（５）、（６）により決定されるような視覚的に最適化された階調スケール曲線とする。Ｄ  ＝  Ａ（ｌｏｇＥ）は下端と肩を端を丸めることによりＤ  ＝  Ｖ（ｌｏｇＥ）から構成される目的の階調スケール曲線であるとする。
Ｄt はＤ  ＝  Ａ（ｌｏｇＥ）が下端で理想の曲線Ｄ  ＝  Ｖ（ｌｏｇＥ）から離れて始まるところの濃度であるとし、Ｇt はＤ＝Ｄt での傾斜であるとする。
【００３６】
【数１３】
0003955111.tif 000013
【００３７】
Ｄ  ＝  Ｖ（ｌｏｇＥ）は式（１）、（５）、（６）から数値的に形成される故にＧt は同様に数値的に計算される。
【００３８】
【数１４】
0003955111.tif 000014
【００３９】
により式（７）は以下のように表され、
【００４０】
【数１５】
0003955111.tif 000015
【００４１】
その導関数は
【００４２】
【数１６】
0003955111.tif 000016
【００４３】
である。与えられたＤ＝Ｄt で、式（９）からｙt を解くと
【００４４】
【数１７】
0003955111.tif 000017
【００４５】
Ｇt とｙt を知ることで、式（１０）からβを解くと
【００４６】
【数１８】
0003955111.tif 000018
【００４７】
ｙt とβが決定されたので，ｌｏｇＥo のみが未知であり、それは以下のように解ける：
ｌｏｇＥo   ＝  ｌｏｇＥt   ＋  （ｌｏｇｙt ）／β          （１３）
ここでｌｏｇＥt はＤ  ＝  Ｖ（ｌｏｇＥ）が形成されるときにＤt に写像する対数露出である。Ｄt は最適曲線から平滑な下端部分への移行の点での濃度である。  Ｄs をＤ  ＝  Ａ（ｌｏｇＥ）が肩で理想的な曲線Ｄ  ＝  Ｖ（ｌｏｇＥ）から離れるところの濃度及びＧs をＤ＝Ｄs での傾斜とする。
上記の過程はグリーン−サウンダーの式（７）での丸められた肩を形成するようまた適用される。
【００４８】
階調スケールの目的は従来技術のスクリーン／フィルムシステムに対する種々の特性曲線を設計するのに用いられる。胸部Ｘ線用に用いられるフィルムに対して媒体コントラスト及び長い下端領域は良い組み合わせである。四肢に対しては高いコントラスト、鋭い肩、鋭い下端が理想的である。図３は濃度０．９でコダックＩｎＳｉｇｈｔＨＣ階調スケール曲線の傾斜と露出に適合するよう形成された階調スケール目的の例である。ハイライト及び影の中のより高いコントラストがこのスクリーン／フィルムシステムに対して望ましいことがわかる。  記憶蛍光物質を用いるデジタルラジオグラフィーは従来のスクリーン／フィルムシステムに比べて非常に広い露出ラチチュード（１０4 ：１）を提供する。コンピュータによる適切な画像増強を用いてデジタルラジオグラフィーの画質はフィルム／スクリーンのそれに概略匹敵する。
【００４９】
記憶蛍光物質システムの有する広い露出ラチチュードはデジタルＸ線画像は通常臨床的に重要な情報を全てとらえ、任意の階調スケールルックアップ表を介してＸ線フィルム上にプリントされる。フィルムは限定されたダイナミックレンジを有し、多くの画像が適切な診断のための高いコントラストを必要とする故に画像毎のダイナミックレンジと画像上のコントラストとの及びその逆のトレードオフが可能なことが望ましい。上記の視覚的に最適化された階調スケールはそれの最適な診断品質を達成するために各画像に対して自動又は手動のどちらかで調整された４つのパラメータを有する。４つのパラメータの２つは式（６）で用いられる：Ｂ＝ａｌｏｇＥ＋ｂ及び他の２つは下端及び肩の濃度を設定するために用いられる：
ａ）  コントラストａ：  ａ＝０．６０コダックＩｎＳｉｇｈｔＨＣシステムに対する中間階調コントラストと類似の濃度０．９での１．５のガンマを形成する；
ｂ）  速度：良い近似は問題の領域の最も暗い部分は２．３の濃度でプリンとされるように露出を設定することである；
ｃ）  下端濃度Ｄt ：Ｄt 以下の濃度は階調スケールの下端領域であり、ここではコントラストは減少し、濃度は増加される。胸部Ｘ線画像に対しては腹部は通常下端領域である。故に下端濃度を上げる要求がある。一般にＤmin 上の０．２５にＤt を設定することはよい開始点である；
ｄ）  肩濃度Ｄs ：Ｄs 以上の濃度は階調スケールの肩領域であり、ここではコントラストと濃度の両方は理想的な曲線Ｄ  ＝  Ｖ（ｌｏｇＥ）から減少する。一般にＤs をＤmax 以下の０．５に設定することは良い開始点である。
【００５０】
これら４つのパラメータを変化することの効果は以下の４つの図に示される。図４はコントラストパラメータａを変化することの効果を示す。図５は露出パラメータｂを変化することの効果を示す。図６は下端パラメータＤt を変化することの効果を示す。図７は肩パラメータＤs を変化することの効果を示す。自動コントラスト及び露出決定アルゴリズムは画像毎に基づいてこれら４つのパラメータを調節することを可能にする。視覚的に最適化された階調スケールの完全に関数的な記述を有することの利点は最適な曲線はコンピュータにより各個別の画像に対してカスタム化されることである。
【００５１】
図８を参照するに、本発明による階調スケール曲線を形成するグラフィカルな方法が示される。示されるように明度曲線（Ｂ）は明度と対数露出軸に関して直線としてプロットされる。次に輝度の関数としての明度はミハイルメンテン関数により輝度の関数としての明度が選択される。それから輝度と濃度の関係がプロットされる。この関係は式（５）による。
【００５２】
上記関係がプロットされた後に、濃度対対数露出の関係である階調スケール曲線が、図８のようにグラフィカルに形成される。例えば、与えられた露出Ｅ１は明度対対数露出曲線上の点Ｕ１を規定し、これは、今度は明度の点Ｂ１を規定する。点Ｂ１は輝度対明度曲線上の点Ｕ２を規定する。これは、今度は輝度の点Ｌ１を規定する。次いで、点Ｌ１は明度対濃度曲線上の点Ｕ３を規定する。点Ｕ３は濃度の点Ｄ１を規定する。露出点Ｅ１で濃度の点Ｄ１が与えられれば、点Ｕ４は階調スケール曲線上で完全に規定される。同様にして階調スケール曲線上の他の点も形成することが可能である。
【００５３】
ブロックダイアグラムの形を示す図９を参照するにアナログ画像信号を受け、そのような画像信号を表示器上に示される出力信号に変換する電気的なシステムが示される。この変換処理では本発明による階調スケール曲線が用いられている。図９ではコンピュータラジオグラフィにより形成されたようなアナログ画像がアナログ／デジタル変換器１０の入力として供される。入力画像信号は対数露出に直接比例しないのでブロック１２に示されるように較正される。例えばＡ／Ｄ変換器１０により供されるコード値は限定された知られた範囲上の対数露出に線形に関係する。この線形の関係又は較正はブロック１２で実際に供され、それによりブロック１２の出力はｌｏｇＥである。この場合には式（１４）は与えられたコード値に対応する対数露出を計算するために用いられる。コード値と対数露出との間の他の知られた関数関係は以下の関係を用いて実施される：
【００５４】
【数１９】
0003955111.tif 000019
【００５５】
ここでＣはＡ／Ｄ変換器１０により形成され、ｃｍｉｎ，ｃｍａｘはそれぞれＡ／Ｄ変換器１０により形成された最小及び最大のコード値である。（ＬｏｇＥ）ｍｉｎ、（ＬｏｇＥ）ｍａｘはそれぞれ対応するＣｍｉｎ、Ｃｍａｘ対数露出値にそれぞれ関係する。
次に処理では較正された対数露出信号は明度（Ｂ）（ブロック１４）に変換される。これは当然式（６）によりなされる。次に輝度は図９に示された形を有するよう扱われる式（１）により計算される。
【００５６】
次の段階１８は式（５）により輝度を濃度に変換する。下端と肩の平滑化は段階２０に示したように達成される。生じた濃度値は段階２２に示すように較正されたプリンタにより必要とされるコード値に変換される。例えばプリンタがある最小濃度と最大濃度の間のコード値に線形に関係する濃度を形成する場合には式（１５）は要求されるコード値を計算するために用いられる。最終的に段階２４はコード値が各画素位置毎に出力フィルム上の所望の濃度を形成するように用いられる。
【００５７】
【数２０】
0003955111.tif 000020
【００５８】
本発明はまた階調スケール曲線による入力信号の処理にも用いられ、それにより対象のＸ線画像の等しい対数露出差は表示された画像の実質的に等しい明度の差を形成し、それにより腫瘍のような問題の対象は全ての濃度でよりよく識別されうる。これは当業者には明確に理解され、次の段階により達成されうる。次の式１は輝度Ｌを計算するために用いられ得る。もちろん式１はＬを解くために再配列される。それから濃度は式５により計算される。式５の逆は濃度を解くためになされなければならない。最終的に各画素毎に計算された濃度は出力される。
【００５９】
本発明の重要な特徴はそれは既に入力デジタル画素に適合されていることである。例えば画素の対数露出は１２ビットにより記述されると仮定する。換言すると４０９６の異なる対数露出レベルがある。各一つに対する必要なデータ変換はコンピュータのようなデジタル処理機械のメモリー内で計算され、置かれる。実際にそれはルックアップ表内に置かれルックアップ表は入力信号に応答し、既に出力濃度を提供する。
【００６０】
図１０はルックアップ表を作成することにより図９の処理を実施するために用いられるフローチャートを示す。この処理では較正段階２６は図９の較正段階１２に幾分対応する。段階２８は段階１４に対応する。段階３０は段階１６に対応する。段階３２は段階１８に対応し、段階３４は段階２２に対応する。下端と肩はこの処理に関してまた用いられるものである。図示されていないが下端と肩の技術はまた用いられる。示しているように問題の全てのコード値に対してルックアップ表は入力コード値Ｃi 及び出力コード値Ｃo を有する。この処理で図１１に示されるように同じルックアップ表を用いるどのような与えられた画像に対してもトランスデューサの出力はルックアップ表内にあり、ルックアップ表は出力コード値を形成する。この配置の利点はもちろんいったんルックアップ表が形成されるとそれは繰り返しの計算をする必要なしにどんな画像でも迅速に処理できることである。
【００６１】
以下に本発明によるフィルム又はフィルムスクリーンで用いられる乳剤をコートするために用いられる例を説明する。
以下の説明は１リットルの初期体積に基づく。
第一乳剤Ａを作る処理
反応容器内に水溶性ゼラチン溶液（水１リットル、酸化されたアルカリ処理されたゼラチン２．５ｇ、４Ｎの硝酸３．７ｍｌ、臭化ナトリウム０．６２６７ｇ、表面活性剤として核形成中に導入された銀の全重量に基づく４．４％のＢＡＳＦ製のＰＬＵＲＯＮＩＣ−３１Ｒ１）が置かれ、その温度を４５゜Ｃに保ちながら硝酸銀の水溶液（７．２５ｇの硝酸銀を含む）１３．３ｍｌ及び等量のハロゲン化物溶液（４．４７ｇの臭化ナトリウム及び０．００７ｇのヨウ化カリウムを含む）は一定速度で１分間の時間にわたり容器内に同時に加えられた。直後に容器内に４．６７ｍｌのハロゲン化物溶液（１．５７ｇの臭化ナトリウム及び０．０２６ｇのヨウ化カリウムを含む）は一定速度で１．４分間の時間にわたり加えられた。容器の温度は９分の間６０゜Ｃに上昇された。この時に４６．５ｍｌのアンモニア溶液（３．３７ｇの硫酸アンモニウムと２９．８ｍｌの２．５Ｎ水酸化ナトリウム溶液）が容器内に加えられ、９分間攪拌された。それから２６１．５ｍｌの水溶性ゼラチン溶液（酸化されたアルカリ処理されたゼラチン１６．７ｇ、４Ｎの硝酸溶液１１．５ｍｌ、ＢＡＳＦ製のＰＬＵＲＯＮＩＣ−３１Ｒ１  ０．０８５ｇ）が加えられ、６分間にわたり混合された。続いて硝酸銀の水溶液１６．７ｍｌ（９．０６ｇの硝酸銀を含む）及び水溶性ハロゲン化物溶液（５．６５ｇの臭化ナトリウム及び０．００９ｇのヨウ化カリウムを含む）は一定速度で１０分間にわたり容器内に加えられた。容器のｐＡｇは２．５分の間にわたり硝酸銀溶液の適量で８．６８にシフトされた。それから硝酸銀の水溶液２２６．２ｍｌ（１２２．３ｇの硝酸銀を含む）及び水溶性ハロゲン化物溶液（７５．３ｇの臭化ナトリウム及び０．１２ｇのヨウ化カリウムを含む）は１．６７ｍｌ／分から開始する一定の立ち上がり速度で５１．８分間にわたり容器内に加えられた。このようにして作られたハロゲンか銀乳剤は洗浄され、平均直径０．６２μｍ、平均厚さ０．１２１μｍ、ＣＯＶ＝１４．０％の特性を有した。
第二乳剤Ｂを作る処理
反応容器内に水溶性ゼラチン溶液（水１リットル、酸化されたアルカリ処理されたゼラチン１．６８ｇ、４Ｎの硝酸３．５ｍｌ、臭化ナトリウム０．６２６７ｇ、表面活性剤として核形成中に導入された銀の全重量に基づく６．５％のＢＡＳＦ製のＰＬＵＲＯＮＩＣ−３１Ｒ１）が置かれ、その温度を４５゜Ｃに保ちながら硝酸銀の水溶液（２．４７ｇの硝酸銀を含む）１１．２ｍｌ及びハロゲン化物溶液（１．５４ｇの臭化ナトリウムを含む）１１．２ｍｌは一定速度で１分間の時間にわたり容器内に同時に加えられた。その後に容器内に１９．２ｍｌのハロゲン化物溶液（１．９７ｇの臭化ナトリウムを含む）は一定速度で１分間の時間にわたり加えられた。容器の温度は９分の間６０゜Ｃに上昇された。この時に４３．３ｍｌのアンモニア溶液（３．３７ｇの硫酸アンモニウムと２６．７ｍｌの２．５Ｎ水酸化ナトリウム溶液）が容器内に加えられ、９分間攪拌された。それから２５２．２ｍｌの水溶性ゼラチン溶液（酸化されたアルカリ処理されたゼラチン１６．７ｇ、４Ｎの硝酸溶液１１．３ｍｌ、ＢＡＳＦ製のＰＬＵＲＯＮＩＣ−３１Ｒ１  ０．１１３ｇ）が加えられ、２分間にわたり混合された。続いて硝酸銀の水溶液７．５ｍｌ（１．６６ｇの硝酸銀を含む）及び等量の水溶性ハロゲン化物溶液（１．０３ｇの臭化ナトリウムを含む）は一定速度で５分間にわたり容器内に加えられた。それから硝酸銀の水溶液４７４．８ｍｌ（１２９．０ｇの硝酸銀を含む）及び水溶性ハロゲン化物溶液（８０．８ｇの臭化ナトリウムを含む）４６７．８ｍｌは１．５ｍｌ／分及び１．５３ｍｌ／分からそれぞれ開始する一定の立ち上がり速度で６４分間にわたり容器内に加えられた。その後に２５３．３ｍｌの硝酸銀の水溶液（６８．９ｇの硝酸銀を含む）及び水溶性ハロゲン化物溶液２４９．０ｍｌ（４３．０ｇの臭化ナトリウムを含む）は１９分の間一定速度で加えられた。このようにして作られたハロゲンか銀乳剤は洗浄され、平均直径１．１５μｍ、平均厚さ０．１１５μｍ、ＣＯＶ＝８．３％の特性を有した。
増感
このように作られた乳剤Ａ、Ｂは以下のように最適に増感された（銀のモル当たり）：４０゜Ｃでそれは４．１ｍｇのテトラクロロオーレイト（ａｕｒａｔｅ）カリウム塩、１７６ｍｇのチオシアン酸ナトリウム，５００ｍｇの緑感応性色素であるベンゾクサゾリウム（ｂｅｎｚｏｘａｚｏｌｉｕｍ）、５−クロロ−２−（２−（（５−クロロ−３−（３−サルフォプロピル）−２（３Ｈ）−ベンゾクサゾイリジン）メチル）−１−ブテニル）−３−（３−サルフォプロピル）−Ｎ，Ｎ−ジエチルレタナミン，２０ｍｌのアンハイドロ−５，６−ジメチル−３（３−サルフォプロピル）ベンゾチオゾリウム、４．１ｍｇのチオシアン酸ナトリウム＊ペタハイドレイト（ｐｅｔａｈｙｄｒａｔｅ）、０．４５ｍｇのセレノシアネイト（ｓｅｌｅｎｏｃｙａｎａｔｅ）ナトリウム塩と混合され、５゜Ｃ／３分で６５゜Ｃに加熱され、１８分間保持され、４０゜Ｃに冷却され、３００ｍｇのヨウ化カリウムと、２．２ｇの５−メチル−ｓ−トリアゾル−（２−３−ａ）−ピリミジン−７−ｏｌを混合される。
コーティング
４００ｍｇ／ｆｔ2 の乳剤Ａと８０ｍｇ／ｆｔ2 の乳剤Ｂとはポリエステル支持層上に５４７ｍｇ／ｆｔ2 のゼラチン、２．５％エチレン、１，１’−（オキシビス（メチレンサルフォキシル））ビス−、硬化剤と共にコーティングされる。
露出及び処理
コーティングは緑色フィルタと１／５０秒に対して２１段タブレット（０．２ｌｏｇＥづつ増加）を有する２８５０Ｋ色温度の感光度計にかけられ、１２分間市販のＫＲＸ処理液で２０゜Ｃで処理された。
ＤｌｏｇＥ曲線
このようにして得られたコーティングの光学的濃度は適合されたＤｍｉｎを有する図１２のシミュレーションに沿ってプロットされた。
【００６２】
本発明はその特定の好ましい実施例を特に参照して詳細に説明されたが、変更及び改良は本発明の精神及び範囲内で有効である。
【００６３】
【発明の効果】
本発明の利点はラジオグラフィー画像用の最適化された階調スケールに対する基礎を提供することにある。これらの階調スケールは周囲の組織により引き起こされた濃度にかかわらず類似の対象に対する等しい明度の差をなさしめる。これはこの性質を有さない従来のスクリーンフィルム階調スケールと比較したときに実質的である。階調スケールはそれらの最適化を維持する一方でどのような特定のラジオグラフィー検査のラチチュードの要求を吸収するよう専用化可能である。
【図面の簡単な説明】
【図１】本発明による階調スケール曲線（濃度対対数露出）を示す図である。
【図２】本発明による図１の階調スケール曲線が下端及び肩領域で変更された図１の階調スケール曲線の変更されたバージョンを示す図である。
【図３】典型的な市販のスクリーン／フィルムシステムと比較されたシステムの適合されたコントラスト及び速度を有する視覚的階調スケールとの間の比較を示す図である。
【図４】異なるコントラストパラメータを有する本発明による３つの別の階調スケール曲線を示す図である。
【図５】異なる速度パラメータを有する本発明による３つの別の階調スケール曲線を示す図である。
【図６】特定の階調スケール曲線に対して３つの異なる下端パラメータを示す図である。
【図７】特定の階調スケール曲線に対して３つの異なる肩パラメータを示す図である。
【図８】明度、輝度、濃度、対数露出を用いた階調スケール曲線を形成するグラフィカルな方法を示す図である。
【図９】画像を処理するために用いられる本発明による方法の概略を示す図である。
【図１０】図１１に示されるような本発明の実施のために形成されるルックアップテーブルによる方法の概略を示す図である。
【図１１】図１０に示されるような形成されたルックアップテーブルを用いる画像処理のために実施された本発明による方法の概略を示す図である。
【図１２】本発明により実際に形成された乳剤コーティングに対する濃度対対数露出を示す図である。
【符号の説明】
１０  デジタル変換器
１２  Ａ／Ｄ変換器
１４  明度計算
１６  輝度計算
１８  輝度から濃度へ
２０  下端及び肩整形
２２  ＤＡＣ値へ濃度較正
２４  ＤＡＣ及び表示器への書き込み
２６  較正変換
２８  ｌｏｇＥから明度へ
３０  明度から輝度へ
３２  輝度から濃度へ
３４  グレーレベルへ較正
【図１】
0003955111.tif 000024
【図２】
0003955111.tif 000025
【図３】
0003955111.tif 000026
【図４】
0003955111.tif 000027
【図５】
0003955111.tif 000028
【図６】
0003955111.tif 000029
【図７】
0003955111.tif 000030
【図８】
0003955111.tif 000031
【図９】
0003955111.tif 000032
【図１０】
0003955111.tif 000033
【図１１】
0003955111.tif 000034
【図１２】
0003955111.tif 000035